(57)【要約】【課題】遊技場の空気を清浄化する分煙方式を簡素化して装置の製造コストを低減し、低騒音、省電力で常時運転に好適であり、さらに、設置施工性を向上させ、使い勝手を向上させ、送風能力を向上させた送風装置を得ること。【解決手段】遊技機１が複数台並ぶ遊技機島の隣り合う前記遊技機１、１間の上方のスペースに設置され、横幅及び高さ寸法が１２ｃｍ以内、奥行寸法が１０ｃｍ以内の略直方体状に形成され、下面に吸込口を有し、上面に吹出口を有し、送風能力を１ｍ3／ｍｉｎ以上とした。【選択図】        図１
2008246077.tif 000002
【特許請求の範囲】
【請求項１】
遊技機が複数台並ぶ遊技機島の隣り合う前記遊技機間の上方のスペースに設置され、
横幅及び高さ寸法が１２ｃｍ以内、奥行寸法が１０ｃｍ以内の略直方体状に形成され、下面に吸込口を有し、上面に吹出口を有し、送風能力を１ｍ3／ｍｉｎ以上としたことを特徴とする送風装置。
【請求項２】
内部に出力軸を鉛直方向に向けた軸流ファンを有し、前記吸込口には格子の間隔が１２ｍｍを越えない吸込グリルを備え、前記吹出口には、同心円状格子と放射状格子を有し該格子の間隔をコインが入りこまない寸法にした吹出グリルを備えることを特徴とする請求項１に記載の送風装置。
【請求項３】
装置本体前面の左右角部が、大きな曲率半径で形成されていることを特徴とする請求項１又は２に記載の送風装置。
【請求項４】
前記装置本体内に前記軸流ファン、モータ、電源コード等の機能部品を集約させ、前記吹出グリルを透明樹脂で形成したことを特徴とする請求項２又は３に記載の送風装置。
【請求項５】
前記遊技機の上方のデータ表示器取付面に設置され、該遊技機のデータ表示器と同じ高さに設置されていることを特徴とする請求項１〜４のいずれか一つに記載の送風装置。
【請求項６】
前記遊技機の上方のメンテナンス板に設置されていることを特徴とする請求項１〜４のいずれか一つに記載の送風装置。
【発明の詳細な説明】
【技術分野】
【０００１】
本発明は、パチンコ機やスロット機等の遊技機が複数台並ぶ遊技機島を複数備え、多数台の遊技機が並ぶ遊技場において、遊技機島の隣り合う遊技機間の上方のスペースに設置され、遊技機の上方へ向かう気流を生成することにより遊技機島全体に上方に向かう気流を形成し、遊技場内に、タバコの煙、酒気、口臭等の悪臭が滞留するのを軽減する送風装置に関するものである。
【背景技術】
【０００２】
従来、遊技機等の横に遊技機等とは別の縦長の風洞を設け、該風洞内部に遠心ブロアーによる吸引機構を設け遊技機等の横に位置する吸込口より周囲の臭気等の汚染空気を吸引し、風洞内部の吸込口後方に設けたオゾン発生部より発生するオゾンガスと吸引した汚染空気を混合して風洞上方の排出口より上方に向けて放出する汚染空気吸引清浄装置がある（例えば、特許文献１参照）。
【０００３】
また、下方に設けた空気の吸込口と上方に設けた空気の吹出口とを通風路で接続し、その吸込口にフィルターを設け、その通風路内に吸込口から空気を吸引する送風ファンを設け、通風路内に空気と接触するよう酸化チタン板を設け、その酸化チタン板に向け紫外線を照射する紫外線光源を設けた構造の空気清浄機を座席を列した所の垂直壁又は垂直なガラス面の上方に設置した空気清浄設備がある（例えば、特許文献２参照）。
【０００４】
【特許文献１】特開２００４―１２５２９２号公報
【特許文献２】特開平１１―２２６３５９号公報
【発明の開示】
【発明が解決しようとする課題】
【０００５】
しかしながら、上記特許文献１に記載の汚染空気吸引清浄装置においては、風洞上方の排出口より上方に向けて大量の空気を放出するため、特に冬期においては、空調された暖気が下降しにくくなり、空調効率が悪く、装置の騒音が大きく、消費電力が高い、という問題があった。
【０００６】
また、遊技機等の横に、遊技機等とは別の縦長の風洞を設け、この風洞内部に遠心ブロアーによる吸引機構を設け、遊技機等の横に位置する吸込口より周囲の臭気等の汚染空気を吸引するため、吸引口を設けるスペースに制約があり、吸引効率が低く、装置が大型で構造も複雑である、という問題があった。
【０００７】
また、上記特許文献２に記載の空気清浄設備においては、酸化チタンの脱臭作用を利用して遊技機にタバコの匂いが付着しないようにしているが、隣席のタバコの煙、酒気、口臭等の悪臭は遮断できない、という問題があった。
【０００８】
本発明は、上記に鑑みてなされたものであって、遊技場の空気を清浄化する分煙方式を簡素化して装置の製造コストを低減し、低騒音、省電力で常時運転に好適であり、さらに、設置施工性を向上させ、使い勝手を向上させ、送風能力を向上させた送風装置を得ることを目的とする。
【課題を解決するための手段】
【０００９】
上述した課題を解決し、目的を達成するために、本発明は、遊技機が複数台並ぶ遊技機島の隣り合う前記遊技機間の上方のスペースに設置され、横幅及び高さ寸法が１２ｃｍ以内、奥行寸法が１０ｃｍ以内の略直方体状に形成され、下面に吸込口を有し、上面に吹出口を有し、送風能力を１ｍ3／ｍｉｎ以上としたことを特徴とする。
【発明の効果】
【００１０】
この発明によれば、製造コストが低く、低騒音、省電力で常時運転に好適であり、さらに、設置施工性を向上させ、使い勝手を向上させ、送風能力を向上させた送風装置が得られる、という効果を奏する。
【発明を実施するための最良の形態】
【００１１】
以下に、本発明にかかる送風装置の実施の形態を図面に基づいて詳細に説明する。なお、この実施の形態によりこの発明が限定されるものではない。
【００１２】
実施の形態１．
図１は本発明の実施の形態の送風装置が設置された実施の形態１の遊技機島の斜視図であり、図２は、実施の形態の送風装置の縦断面図であり、図３は、送風装置の上方透視斜視図であり、図４は、送風装置の上方分解斜視図であり、図５は、送風装置の下方分解斜視図である。
【００１３】
図１に示すように、例えば、パチンコ店のような遊技場においては、遊技機としてのパチンコ機１を多数台並べて設置している。パチンコ機１は、正面ガラス２に覆われた装置本体部と、パチンコ玉を投入する上段玉受皿３、出玉を受ける下段玉受皿４、玉を打ち出す電動ハンドル５等から成る操作部と、を備えている。
【００１４】
パチンコ機１の正面ガラス２の上方のデータ表示器取付面６には、データ表示器７が設置されている。データ表示器取付面６の上方に、メンテナンス板８が設置されている。メンテナンス板８は、パチンコ機１の内部の機器類をメンテナンスするときに、下開きで開くようになっている。
【００１５】
パチンコ機１の正面ガラス２とデータ表示器取付面６とは、略同一面上にある。実施の形態の送風装置１０は、隣接する２台のパチンコ機１、１間の上方の、データ表示器７と略同一高さ位置に、吸込口を下方に、吹出口を上方に向けて取付けられている。
【００１６】
パチンコ機１の下方に、小物を置くことができるテーブル９が設置されている。テーブル９の奥行き寸法は約１８ｃｍであり、このテーブル９に灰皿が設置されている。なお、遊技場によっては、テーブル９に替え、棚を設けているところもある。
【００１７】
分煙装置としての実施の形態の送風装置１０は、装置本体１５の下面に設けられた吸込口１９（図２参照）の高さから、遊技者の口の高さまでの距離が３０〜５０ｃｍとなるような高さ位置に設置されている。
【００１８】
吸込口１９の高さから灰皿が設置されたテーブル９の高さまでの距離は、約７０ｃｍである。同じく、吸込口１９の高さから床面までの距離は約１６０ｃｍである。パチンコ機１の左右の幅寸法は約５０ｃｍであり、隣り合う２台のパチンコ機１、１間の間隔は約２０ｃｍとなっている。従って、１人の遊技者が占有するスペースの左右の幅寸法は、約７０ｃｍとなり、隣り合う二人は、約２５〜３０ｃｍ離れている。
【００１９】
図２〜図５に示すように、送風装置１０は、下部の吸込口１９より空気を吸込み、上部の吹出口１８ａから上方へ吹出す。送風装置１０は、全体として略直方体状に形成された、軸流ファン式の送風装置であり、出力軸２５を鉛直方向に向けた軸流ファン１２と、軸流ファン１２を回転駆動するモータ１３と、軸流ファン１２の外周部を覆う風胴１４（図４参照）を有する装置本体１５と、装置本体１５の下面に装着され、吸込口１９を覆う吸込グリル１７と、装置本体１５の上面に装着され吹出口１８ａを覆う吹出グリル１８と、を備えている。
【００２０】
図４及び図５に示すように、装置本体１５は、円筒状の風洞１４と、風洞１４の外周部を覆い送風装置１０の外郭をなす本体外装１６と、風洞１４と本体外装１６の下部を繋ぐフランジ２０と、風洞１４の上部に形成されたモータ保持部２１と、を有し、樹脂一体成型されている。
【００２１】
モータ保持部２１は、周方向に間隔をおいて風洞１４の上部から上方へ延びる三本の脚部Ａ２２と、脚部Ａ２２から径方向内方に延びる三本の脚部Ｂ２３と、脚部Ｂ２３により支持されたモータカバー部２４とから成る。
【００２２】
モータカバー部２４は、三本の脚部Ａ２２及び脚部Ｂ２３により、風洞１４の中心線上に保持され、下部中央に軸孔２４Ａが設けられ、上部が開口した円筒有底の漏斗状を成し、モータ１３の出力軸側のフレーム外殻を覆っている。
【００２３】
図２に示すように、モータ１３の出力軸２５を挿通させるための軸孔２４Ａは、軸流ファン１２のボス部１２Ａの上端部の筒状部分に挿入される円筒部２４Ｂを有している。その挿入部分の隙間寸法は１ｍｍ程度になっており、軸流ファン１２が回転すると、この挿入部分は流体軸受のようになり、この挿入部分に埃や水分が入りこむことを防いでいる。
【００２４】
モータカバー部２４の上部開口部には、周方向に約１２０°間隔を隔てて、径方向に張出す３箇所のねじ止めフランジ（ねじ３２がねじ込まれる）が設けられている。また、モータカバー部２４の外径寸法は、後述するモータ１３の取付フランジ部１３ａの外径寸法と同等若しくは僅かに大きく形成されている。また、脚部Ｂ２３の上流側となる下端部は、空気抵抗が少なくなるように、角部を面取りするか、又は、端面が円弧状に形成されている。
【００２５】
モータ１３の固定子と回転子を収容する鋼板製のケースは、出力軸２５側を覆うフレーム２６と、反対側を覆うブラケット２７と、から成り、ブラケット２７の外側には、モータ起動用のコンデンサやリード線が装備されており、これらをコンデンサカバー２８で覆っている。モータ１３の外径寸法は、モータをねじ３２で固定するねじ孔フランジを除いて、φ４４程度と、従来のモータの外径寸法φ６０程度と比較し、非常に小型となっている。
【００２６】
コンデンサカバー２８には、一ヵ所に径方向に突出するリード出口２８Ａが形成され、リード出口２８Ａから電源コードとしてのリード線３０が引き出され、リード線３０は、リードチューブ３１で保護されている。送風装置１０は、装置本体１５内に軸流ファン１２、モータ１３、電源コード３０等の機能部品を集約させている。
【００２７】
装置本体１５の下部の吸込口１９を覆う吸込グリル１７の格子グリル部分は、メンテナンス時に、管理者や遊戯者が、軸流ファン１２に指などを入れないように、さらには、コインなどを誤って入れないように、格子の間隔を１２ｍｍ以下にしている。また、吹出グリル１８は、図３及び図４に示すように、同心円状格子と放射状格子とを有し、格子の間隔をコインが入りこまない寸法にしている。
【００２８】
さらに、吸込グリル１７及び吹出グリル１８は、装置本体１５から容易に取外しできる構造になっており、格子グリル部分にタバコのヤニなどが付着して汚れがひどい場合には、取外して洗浄できるようになっている。
【００２９】
送風装置１０は、パチンコ機１の下方の灰皿の煙や、遊戯者が喫煙したタバコの煙、人体臭などを、パチンコ機１の上方へ、送風装置１０を設置しない場合より短時間に移動させるだけであるので、例えば、夏場などに、冷房装置の冷気が遊技者に直接当たって不快感を味わうという様な不具合もなく、また、脱臭フィルタなどを備えていないので、脱臭フィルタの交換などのメンテナンスも不要である。
【００３０】
また、実施の形態の送風装置１０においては、図３に示すように、装置本体１５の奥行寸法が１００ｍｍ以内に抑えられており、前面の左右角部が大きな曲率半径で曲面に形成されている。また、横幅及び全体高さ寸法は、１２ｃｍ以内に形成されている。
【００３１】
このような寸法、形状とすることにより、データ表示器７の視界を遮ることもなく、スッキリした意匠となっている。さらには、吹出グリル１８を透明樹脂等により形成すれば、データ表示器７の視界がさらに良くなる。
【００３２】
次に、軸流ファン１２の仕様について述べる。実施の形態１の軸流ファン１２は、ファン外径φ８５ｍｍ、翼の軸方向寸法４４ｍｍで、例えば、パイプ用ファンなどに用いられているものである。
【００３３】
モータ１３は、コンデンサーランモータで、極数は２極であり、非常に小型で消費電力が少なく、大量生産型のものである。軸流ファン１２の外周部を覆う風洞１４の内径寸法はφ９０ｍｍである。
【００３４】
なお、実施の形態１においては、多数併設される遊技機として、パチンコ店のパチンコ機を例に挙げているが、遊技機としては、パチンコ機に限らず、例えばスロット機であってもよい。また、本実施の形態の送風装置１０は、隣り合うパチンコ機の間のデータ表示器取付面６に取り付けられているが、必ずしもデータ表示器取付面６に取り付けられる必要はなく、隣り合う遊技機１、１間の上方に設置されれば所定の効果を得ることができる。
【００３５】
以上のように実施の形態１の送風装置１０は、パチンコ機１等が多数台並ぶ遊技場において、隣り合う遊技機１、１間の上方スペースに設置され下方から上方へと向かう空気の流れを形成して、複数の隣り合う遊技機１、１間の空気の流れにより、パチンコ島（遊技機島）に下方から上方に向かう気流を形成し、喫煙者のタバコの煙・酒気・口臭等の悪臭が滞留することを軽減する。
【００３６】
このような構成により実施の形態の送風装置１０においては、遊技者が送風により不快になることがなく、さらに灰皿のタバコの灰などを吹き飛ばすというようなこともない。また、空調機の気流が送風装置１０の上方へ向かう送風により、邪魔されて空調がうまく機能しないなどの不具合もなく、その煙が一時的に一ヶ所に滞留することを抑制することができ、臭いも送風装置１０を設置しない場合より低いレベルにすることができる。さらに、タバコの煙がパチンコ機１付近に滞留して、パチンコ機１の例えば正面ガラス２に付着することを抑制することができる。
【００３７】
実施の形態２．
図６は、本発明の実施の形態の送風装置が設置された実施の形態２の遊技機島の斜視図である。図６に示すように、実施の形態の送風装置１０は、データ表示器取付面６よりさらに上方のメンテナンス板８に設置されている。実施の形態２における送風装置１０の吸込口から遊技者の口までの距離及び灰皿までの距離は、図１に示す実施の形態１に比べ、２０ｃｍ程度大きくなるが、送風装置１０の出力を大きくすれば、実施の形態１と同等の効果を得ることができる。
【００３８】
実施の形態２においては、メンテナンス板８に送風装置１０を設置するので、送風装置１０が重いとメンテナンス板８の開閉に支障をきたす。しかしながら、近年、コンデンサーランモータは、非常に小型で軽量なものが開発されており、このような軽量な小型モータを使用することにより、送風装置１０を約６００ｇに軽量化することが可能であり、メンテナンス板８への取り付けも可能である。なお、コンデンサーランモータは、電子部品等を使用していないので、周辺の機器への電波障害等の心配がない。
【００３９】
また、データ表示器取付面６とメンテナンス板８との間に棚が設けられている遊技場もあるが、そのような場合には、取付金具を使用し、例えば、取付金具をデータ表示器取付面６に固定し、送風装置１０を棚の前方に来るように設置し、メンテナンス板８の開閉に支障がないようにすることができる。
【００４０】
実施の形態の送風装置１０は、消費電力が、１台当たり約５Ｗと非常に省電力であり、平均的なパチンコ店のパチンコ機設置台数は１店舗当たり約３００台であるが、送風装置１０を３００台設置しても、合計の消費電力は１．０５ＫＷと非常に少なく、営業時間を１４時間として連続運転した場合でも、電気代は約１０，０００円／月程度である。騒音は、強運転で約３２ｄＢであるが、元々周囲がうるさいので全く気になることがない。
【００４１】
また、送風装置１０で送風される風量は、１台当たり１ｍ3／ｍｉｎ（６０ｍ3／ｈ）以上と非常に少ないが、本製品を３００台設置した場合には、合計風量は１８０００ｍ3／ｈとなり、例えば、営業時間帯に連続運転すれば、遊戯台部分に滞留するタバコの煙や人体臭などの大量の汚染空気を天井面に移動することができ、さらには天井面付近に設置された換気扇により換気が行なわれるので、パチンコ店全体の室内環境を大幅に改善することができる。
【００４２】
さらには、営業時間外の全ての時間帯で運転するようにすれば、汚れた空気の淀みがなくなり、換気扇の換気効率が向上し、パチンコ店全体の室内環境がより一層改善される。
【産業上の利用可能性】
【００４３】
以上のように、本発明にかかる送風装置は、遊技場に設置する送風装置として有用である。
【図面の簡単な説明】
【００４４】
【図１】本発明の実施の形態の送風装置が設置された実施の形態１の遊技機島の斜視図である。
【図２】実施の形態の送風装置の縦断面図である。
【図３】送風装置の上方透視斜視図である。
【図４】送風装置の上方分解斜視図である。
【図５】送風装置の下方分解斜視図である。
【図６】本発明の実施の形態の送風装置が設置された実施の形態２の遊技機島の斜視図である。
【符号の説明】
【００４５】
１  パチンコ機（遊技機）
２  正面ガラス
３  上段玉受皿
４  下段玉受皿
５  電動ハンドル
６  データ表示器取付面
７  データ表示器
８  メンテナンス板
９  テーブル
１０  送風装置
１２  軸流ファン
１３  モータ
１４  風胴
１５  装置本体
１６  本体外装
１７  吸込グリル
１８  吹出グリル
１８ａ  吹出口
１９  吸込口
２５  出力軸
３０  リード線（電源コード）
【図１】
2008246077.tif 000003
【図２】
2008246077.tif 000004
【図３】
2008246077.tif 000005
【図４】
2008246077.tif 000006
【図５】
2008246077.tif 000007
【図６】
2008246077.tif 000008